【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品であって、
前記吸収性物品が着用者の前後方向に対応する長手方向及び該長手方向と直交する幅方向を有しており、
相対的に大きい凸部が幅方向の中央に相対的に小さい凸部が幅方向の両外側に位置している、吸収性物品。
【請求項２】
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品であって、
前記吸収性物品が着用者の前後方向に対応する長手方向及び該長手方向と直交する幅方向を有しており、
相対的に大きい凸部が長手方向の中央に相対的に小さい凸部が長手方向の両外側に位置している、吸収性物品。
【請求項３】
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品であって、
前記吸収性物品が着用者の前後方向に対応する長手方向及び該長手方向と直交する幅方向を有しており、
幅方向の外方側に位置する凸部の幅方向の長さが、幅方向の中央側に位置する凸部の幅方向の長さよりも短くなっている、吸収性物品。
【請求項４】
前記低坪量部が長手方向に延びている、請求項３に記載の吸収性物品。
【請求項５】
前記低坪量部が幅方向に延びている、請求項３に記載の吸収性物品。
【請求項６】
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品であって、
前記吸収性物品が着用者の前後方向に対応する長手方向及び該長手方向と直交する幅方向を有しており、
前記低坪量部が長手方向に延びており、
前記表面シートは、前記低坪量部と重なる領域に、大きさの異なる複数種の前記凸部を有し、
長手方向の外方側に位置する凸部の長手方向の長さが、長手方向の中央側に位置する凸部の長手方向の長さよりも短くなっている、吸収性物品。
【請求項７】
前記表面シートは、幅方向中央であって且つ長手方向に延びる中央域と、該中央域に隣接し且つ長手方向に延びる一対の側部域を有しており、
前記中央域に設けられた前記凸部の幅方向の長さは、前記側部域に設けられた前記凸部の幅方向の長さよりも長く、
前記吸収性コアが、前記幅方向に間隔を空けて、長手方向に延びる一対の前記低坪量部を有し、
前記一対の低坪量部間の距離は、長手方向中央部よりも長手方向端部の方が長く、
長手方向中央部における一対の前記低坪量部間の距離をＡとし、長手方向端部における一対の前記低坪量部間の距離をＣとし、前記中央域の幅をＢとしたとき、Ａ＜Ｂ＜Ｃの関係になる、請求項１〜６の何れか１項に記載の吸収性物品。
【請求項８】
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品であって、
前記吸収性コアが、互いに交差しない複数の低坪量部を有し、該低坪量部が第１の低坪量部及び第２の低坪量部を有し、
前記第１の低坪量部に位置する前記凸部の幅方向の長さと前記第２の低坪量部に位置する前記凸部の幅方向の長さが異なる、吸収性物品。
【請求項９】
前記表面シートが、着用状態において、着用者の肌側に位置する上層不織布と、着用者の肌から遠い側に位置する下層不織布とを接合した積層構造からなり、
前記凸部は、前記上層不織布が、該上層不織布と前記下層不織布とを接合する接合部以外の部位において該下層不織布から離間するように突出して形成されており、
相対的に大きな前記凸部を囲む前記接合部の総面積が、相対的に小さな前記凸部を囲む前記接合部の総面積よりも大きい、請求項１〜８の何れか１項に記載の吸収性物品。
【手続補正２】
【補正対象書類名】明細書
【補正対象項目名】００３８
【補正方法】変更
【補正の内容】
【００３８】
また、表面シート２は、これを平面視したとき、中央低坪量部４４と重なる領域に、第１凸部２４１のみを有している。中央低坪量部４４と重なる領域には、個々の第１凸部２４１の全体又は一部が存在している。
【手続補正３】
【補正対象書類名】明細書
【補正対象項目名】００６０
【補正方法】変更
【補正の内容】
【００６０】
前述した本発明の実施形態に関し、更に以下の吸収性物品を開示する。
＜１＞
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品。
＜２＞
前記吸収性物品が着用者の前後方向に対応する長手方向及び該長手方向と直交する幅方向を有しており、
相対的に大きい凸部が幅方向の中央に相対的に小さい凸部が幅方向の両外側に位置している、前記＜１＞に記載の吸収性物品。
＜３＞
前記吸収性物品が着用者の前後方向に対応する長手方向及び該長手方向と直交する幅方向を有しており、
相対的に大きい凸部が長手方向の中央に相対的に小さい凸部が長手方向の両外側に位置している、前記＜１＞に記載の吸収性物品。
＜４＞
前記吸収性物品が着用者の前後方向に対応する長手方向及び該長手方向と直交する幅方向を有しており、
幅方向の外方側に位置する凸部の幅方向の長さが、幅方向の中央側に位置する凸部の幅方向の長さよりも短くなっている、前記＜１＞に記載の吸収性物品。
＜５＞
前記低坪量部が長手方向に延びている、前記＜４＞に記載の吸収性物品。
＜６＞
前記低坪量部は、前記吸収性コアの幅方向の中央に位置する第１の低坪量部と、第１の低坪量部から幅方向左右外方に位置する一対の第２の低坪量部とを有し、
前記各第２の低坪量部に位置する前記凸部の幅方向の長さが、前記第１の低坪量部に位置する前記凸部の幅方向の長さよりも短くなっている、前記＜５＞に記載の吸収性物品。
＜７＞
前記吸収性コアが、幅方向の左右外方に位置する一対の低坪量部を備え、
前記各低坪量部の幅方向の外方側に位置する凸部の幅方向の長さが、該各低坪量部の幅方向の中央側に位置する凸部の幅方向の長さよりも短くなっている、前記＜５＞に記載の吸収性物品。
＜８＞
前記吸収性コアが、凸の弧を描く一対の低坪量部を備え、
前記各低坪量部の幅方向の外方側に位置する凸部の幅方向の長さが、該各低坪量部の幅方向の中央側に位置する凸部の幅方向の長さよりも短くなっている、前記＜５＞に記載の吸収性物品。
＜９＞
前記表面シートが第１の凸部及び第２の凸部を含み、前記第１の凸部の幅方向の長さが、前記第２の凸部の幅方向の長さより短く、前記第２の凸部が幅方向の中央域に配置され、前記第１の凸部が該中央域の幅方向の両外側に位置する側部域に配置され、前記＜７＞又は＜８＞に記載の吸収性物品。
＜１０＞
前記低坪量部が幅方向に延びている、前記＜４＞に記載の吸収性物品。
＜１１＞
前記低坪量部の幅方向の側部域に位置する凸部の幅方向の長さが、該低坪量部の幅方向の中央域に位置する凸部の幅方向の長さよりも短くなっている、前記＜１０＞に記載の吸収性物品。
＜１２＞
前記表面シートが第１の凸部及び第２の凸部を含み、前記第１の凸部の幅方向の長さが、前記第２の凸部の幅方向の長さより短く、前記第１の凸部が幅方向の側部域に配置され、前記第２の凸部が幅方向の中央域に配置されている、前記＜１１＞に記載の吸収性物品。
＜１３＞
前記吸収性物品が着用者の前後方向に対応する長手方向及び該長手方向と直交する幅方向を有しており、
前記低坪量部が長手方向に延びており、
前記表面シートは、前記低坪量部と重なる領域に、大きさの異なる複数種の前記凸部を有し、
長手方向の外方側に位置する凸部の長手方向の長さが、長手方向の中央側に位置する凸部の長手方向の長さよりも短くなっている、前記＜１＞に記載の吸収性物品。
＜１４＞
前記低坪量部が長手方向に延びている、前記＜１３＞に記載の吸収性物品。
＜１５＞
前記低坪量部の長手方向の側部域に位置する凸部の長手方向の長さが、該低坪量部の長手方向の中央域に位置する凸部の長手方向の長さよりも短くなっている、前記＜１４＞に記載の吸収性物品。
＜１６＞
前記表面シートが第１の凸部及び第２の凸部を含み、前記第１の凸部の長手方向の長さが、前記第２の凸部の長手方向の長さより短く、前記第１の凸部が長手方向の側部域に配置され、前記第２の凸部が長手方向の中央域に配置されている、前記＜１４＞に記載の吸収性物品。
＜１７＞
前記低坪量部が幅方向に延びている、前記＜１３＞に記載の吸収性物品。
＜１８＞
前記低坪量部は、前記吸収性コアの長手方向の中央に位置する第１の低坪量部と、第１の低坪量部から長手方向前後外方に位置する一対の第２の低坪量部とからなり、
前記各第２の低坪量部の長手方向外方側に位置する前記凸部の長手方向の長さが、前記第２の低坪量部の長手方向中央側に位置する前記凸部の長手方向の長さよりも短くなっている、前記＜１７＞に記載の吸収性物品。
＜１９＞
前記表面シートが第１の凸部及び第２の凸部を含み、前記第１の凸部の長手方向の長さが、前記第２の凸部の長手方向の長さより短く、前記第１の凸部が前記第２の低坪量部に配置され、前記第２の凸部が前記第１の低坪量部に配置されている、前記＜１８＞に記載の吸収性物品。
＜２０＞
前記吸収性物品が着用者の前後方向に対応する長手方向及び該長手方向と直交する幅方向を有しており、
前記表面シートは、幅方向中央であって且つ長手方向に延びる中央域と、該中央域に隣接し且つ長手方向に延びる一対の側部域が設けられており、
前記中央域に設けられた前記凸部の幅方向の長さは、前記側部域に設けられた前記凸部の幅方向の長さよりも長く、
前記吸収性コアが、前記幅方向に間隔を空けて、長手方向に延びる一対の前記低坪量部を有し、
前記一対の低坪量部は、長手方向中央部よりも長手方向端部の方が長く、
長手方向中央部における一対の前記低坪量部間の距離をＡとし、長手方向端部における一対の前記低坪量部間の距離をＣとし、前記中央域の幅をＢとしたとき、Ａ＜Ｂ＜Ｃの関係になる、前記＜１＞＜２＞＜３＞＜４＞＜５＞＜１０＞＜１３＞の何れか１に記載の吸収性物品。
＜２１＞
前記吸収性コアが、互いに交差しない複数の低坪量部を有し、該低坪量部が第１の低坪量部及び第２の低坪量部を有し、
前記第１の低坪量部に位置する前記凸部の幅方向の長さと前記第２の低坪量部に位置する前記凸部の幅方向の長さが異なる、前記＜１＞に記載の吸収性物品。
＜２２＞
前記表面シートが、着用状態において、着用者の肌側に位置する上層不織布と、着用者の肌から遠い側に位置する下層不織布とを接合した積層構造からなり、
前記凸部は、前記上層不織布が、該上層不織布と前記下層不織布とを接合する接合部以外の部位において該下層不織布から離間するように突出して形成されており、
相対的に大きな前記凸部を囲む前記接合部の総面積が、相対的に小さな前記凸部を囲む前記接合部の総面積よりも大きい、前記＜１＞〜＜２１＞の何れか１項に記載の吸収性物品。